【手続補正書】
【提出日】平成25年7月23日(2013.7.23)
【手続補正１】
【補正対象書類名】明細書
【補正対象項目名】０００９
【補正方法】変更
【補正の内容】
【０００９】
請求項１記載の発明は、自立式スタンドを備えた板状のフレーム筐体と、表示内容の異なる複数の画像データを関連付けて記憶する画像記憶部と、上記フレーム筐体の前面側に設けられた表示部と、上記画像記憶部が記憶する画像データに基づいて上記表示部に画像を表示させる表示制御部と、上記フレーム筐体の背面側に向けて画像を投影する投影部と、上記表示制御部が上記表示部での表示に用いている画像データと関連付けて記憶された複数の画像データを上記画像記憶部から選択する画像選択部と、上記画像選択部で選択した複数の画像を上記画像記憶部から読出し、読出した複数の画像データに基づいて上記投影部で画像を投影させる投影制御部とを具備したことを特徴とする。
【手続補正２】
【補正対象書類名】明細書
【補正対象項目名】００１２
【補正方法】変更
【補正の内容】
【００１２】
請求項４記載の発明は、上記請求項１記載の発明において、複数の画像を配置する投影パターンデータを複数記憶したパターン記憶部と、上記パターン記憶部が記憶する複数の投影パターンデータから１つを選択するパターン選択部とをさらに具備し、上記画像選択部は、上記パターン選択部で選択した投影パターンデータで求められる画像データ数により上記画像記憶部から複数の画像データを選択し、上記投影制御部は、上記パターン選択部が選択した投影パターンデータ及び上記画像選択部が選択した複数の画像データに基づいて上記投影部で画像を投影させることを特徴とする。
請求項５記載の発明は、上記請求項１記載の発明において、上記投影部が投影する画像の領域が、正面の視点から見て上記フレーム筐体と重なり合わないように投影することを特徴とする。
【手続補正３】
【補正対象書類名】明細書
【補正対象項目名】００１３
【補正方法】変更
【補正の内容】
【００１３】
請求項６記載の発明は、上記請求項１記載の発明において、上記投影部が画像を投影する被投影面までの距離を測定する測距部をさらに具備し、上記投影部は、上記測距部で得た距離に基づいて投影する画像の合焦位置を設定することを特徴とする。
【手続補正４】
【補正対象書類名】明細書
【補正対象項目名】００１４
【補正方法】変更
【補正の内容】
【００１４】
請求項７記載の発明は、上記請求項６記載の発明において、フレーム筐体に対する上記投影部の投影方向によって決定される所定位置がそれぞれ異なる大きさでマスクされた、複数の画像を配置する投影パターンデータを複数記憶したパターン記憶部と、上記測距部で得た距離に基づいて上記パターン記憶部が記憶する複数の投影パターンデータから１つを選択するパターン選択部とをさらに具備し、上記画像選択部は、上記パターン選択部で選択した投影パターンデータで求められる画像データ数により上記画像記憶部から複数の画像データを選択し、上記投影制御部は、上記パターン選択部が選択した投影パターンデータ及び上記画像選択部が選択した複数の画像データに基づいて上記投影部で画像を投影させることを特徴とする。
【手続補正５】
【補正対象書類名】明細書
【補正対象項目名】００１５
【補正方法】変更
【補正の内容】
【００１５】
請求項８記載の発明は、上記請求項７記載の発明において、上記パターン記憶部が記憶する複数の投影パターンデータは、少なくとも一部で配置する画像の数が異なるように設定されており、上記パターン選択部は、上記測距部で得た距離に対応し、上記マスク部の大きさ及び配置する画像の数の少なくとも一方に基づいて投影パターンデータを選択することを特徴とする。
【手続補正６】
【補正対象書類名】明細書
【補正対象項目名】００１６
【補正方法】変更
【補正の内容】
【００１６】
請求項９記載の発明は、自立式スタンドを備えた板状のフレーム筐体、表示内容の異なる複数の画像データを関連付けて記憶する画像記憶部、上記フレーム筐体の前面側に設けられた表示部、及び上記フレーム筐体の背面側に向けて画像を投影する投影部を備えたデジタルフォトフレームでの画像制御方法であって、上記画像記憶部が記憶する画像データに基づいて上記表示部に画像を表示させる表示制御工程と、上記表示制御工程で上記表示部での表示に用いている画像データと関連付けて記憶された複数の画像データを上記画像記憶部から選択する画像選択工程と、上記画像選択工程で選択した複数の画像を上記画像記憶部から読出し、読出した複数の画像データに基づいて上記投影部で画像を投影させる投影制御工程とを有したことを特徴とする。
【手続補正７】
【補正対象書類名】明細書
【補正対象項目名】００１７
【補正方法】変更
【補正の内容】
【００１７】
請求項１０記載の発明は、自立式スタンドを備えた板状のフレーム筐体、表示内容の異なる複数の画像データを関連付けて記憶する画像記憶部、上記フレーム筐体の前面側に設けられた表示部、及び上記フレーム筐体の背面側に向けて画像を投影する投影部を備えたデジタルフォトフレームが内蔵するコンピュータが実行するプログラムであって、当該プログラムを、上記画像記憶部が記憶する画像データに基づいて上記表示部に画像を表示させる表示制御手段、上記表示制御手段で上記表示部での表示に用いている画像データと関連付けて記憶された複数の画像データを上記画像記憶部から選択する画像選択手段、及び上記画像選択手段で選択した複数の画像を上記画像記憶部から読出し、読出した複数の画像データに基づいて上記投影部で画像を投影させる投影制御手段として機能させる。
【手続補正８】
【補正対象書類名】特許請求の範囲
【補正対象項目名】全文
【補正方法】変更
【補正の内容】
【特許請求の範囲】
【請求項１】
自立式スタンドを備えた板状のフレーム筐体と、
表示内容の異なる複数の画像データを関連付けて記憶する画像記憶部と、
上記フレーム筐体の前面側に設けられた表示部と、
上記画像記憶部が記憶する画像データに基づいて上記表示部に画像を表示させる表示制御部と、
上記フレーム筐体の背面側に向けて画像を投影する投影部と、
上記表示制御部が上記表示部での表示に用いている画像データと関連付けて記憶された複数の画像データを上記画像記憶部から選択する画像選択部と、
上記画像選択部で選択した複数の画像を上記画像記憶部から読出し、読出した複数の画像データに基づいて上記投影部で画像を投影させる投影制御部と
を具備したことを特徴とするデジタルフォトフレーム。
【請求項２】
上記画像記憶部は、複数の画像データそれぞれにタイムスタンプ情報を付加して記憶し、
上記画像選択部は、上記表示制御部が上記表示部での表示に用いている画像データに付加されたタイムスタンプ情報に基づいて上記画像記憶部から複数の画像データを選択する
ことを特徴とする請求項１記載のデジタルフォトフレーム。
【請求項３】
上記画像記憶部は、複数の画像データを複数のデータフォルダと関連付けて記憶し、
上記画像選択部は、上記表示制御部が上記表示部での表示に用いている画像データと関連付けられたデータフォルダ内の他の複数の画像データを上記画像記憶部から選択する
ことを特徴とする請求項１記載のデジタルフォトフレーム。
【請求項４】
複数の画像を配置する投影パターンデータを複数記憶したパターン記憶部と、
上記パターン記憶部が記憶する複数の投影パターンデータから１つを選択するパターン選択部と
をさらに具備し、
上記画像選択部は、上記パターン選択部で選択した投影パターンデータで求められる画像データ数により上記画像記憶部から複数の画像データを選択し、
上記投影制御部は、上記パターン選択部が選択した投影パターンデータ及び上記画像選択部が選択した複数の画像データに基づいて上記投影部で画像を投影させる
ことを特徴とする請求項１記載のデジタルフォトフレーム。
【請求項５】
上記投影部が投影する画像の領域が、正面の視点から見て上記フレーム筐体と重なり合わないように投影することを特徴とする請求項１記載のデジタルフォトフレーム。
【請求項６】
上記投影部が画像を投影する被投影面までの距離を測定する測距部をさらに具備し、
上記投影部は、上記測距部で得た距離に基づいて投影する画像の合焦位置を設定する
ことを特徴とする請求項１記載のデジタルフォトフレーム。
【請求項７】
フレーム筐体に対する上記投影部の投影方向によって決定される所定位置がそれぞれ異なる大きさでマスクされた、複数の画像を配置する投影パターンデータを複数記憶したパターン記憶部と、
上記測距部で得た距離に基づいて上記パターン記憶部が記憶する複数の投影パターンデータから１つを選択するパターン選択部と
をさらに具備し、
上記画像選択部は、上記パターン選択部で選択した投影パターンデータで求められる画像データ数により上記画像記憶部から複数の画像データを選択し、
上記投影制御部は、上記パターン選択部が選択した投影パターンデータ及び上記画像選択部が選択した複数の画像データに基づいて上記投影部で画像を投影させる
ことを特徴とする請求項６記載のデジタルフォトフレーム。
【請求項８】
上記パターン記憶部が記憶する複数の投影パターンデータは、少なくとも一部で配置する画像の数が異なるように設定されており、
上記パターン選択部は、上記測距部で得た距離に対応し、上記マスク部の大きさ及び配置する画像の数の少なくとも一方に基づいて投影パターンデータを選択する
ことを特徴とする請求項７記載のデジタルフォトフレーム。
【請求項９】
自立式スタンドを備えた板状のフレーム筐体、表示内容の異なる複数の画像データを関連付けて記憶する画像記憶部、上記フレーム筐体の前面側に設けられた表示部、及び上記フレーム筐体の背面側に向けて画像を投影する投影部を備えたデジタルフォトフレームでの画像制御方法であって、
上記画像記憶部が記憶する画像データに基づいて上記表示部に画像を表示させる表示制御工程と、
上記表示制御工程で上記表示部での表示に用いている画像データと関連付けて記憶された複数の画像データを上記画像記憶部から選択する画像選択工程と、
上記画像選択工程で選択した複数の画像を上記画像記憶部から読出し、読出した複数の画像データに基づいて上記投影部で画像を投影させる投影制御工程と
を有したことを特徴とする画像制御方法。
【請求項１０】
自立式スタンドを備えた板状のフレーム筐体、表示内容の異なる複数の画像データを関連付けて記憶する画像記憶部、上記フレーム筐体の前面側に設けられた表示部、及び上記フレーム筐体の背面側に向けて画像を投影する投影部を備えたデジタルフォトフレームが内蔵するコンピュータが実行するプログラムであって、
当該プログラムを、
上記画像記憶部が記憶する画像データに基づいて上記表示部に画像を表示させる表示制御手段、
上記表示制御手段で上記表示部での表示に用いている画像データと関連付けて記憶された複数の画像データを上記画像記憶部から選択する画像選択手段、及び
上記画像選択手段で選択した複数の画像を上記画像記憶部から読出し、読出した複数の画像データに基づいて上記投影部で画像を投影させる投影制御手段
として機能させるためのプログラム。